(57)【要約】【課題】  画像編集合成処理を正確かつ迅速に行うと共に、画像出力等に係る操作性を向上させることを可能とする画像出力装置等を提供する。【解決手段】  画像出力装置１０１（制御部３０１）は、テンプレート作成用の画像データを取得してモニタ上に表示し（Ｓ５１）、利用者は、タッチペン等により合成領域を囲む（Ｓ５２）。画像出力装置１０１は、利用者が描いた合成領域が閉じた領域を形成した場合、当該閉じた領域を合成領域として決定し、テンプレートを作成する（Ｓ５３）。画像出力装置１０１は、作成したテンプレートを記憶部、メモリ等に保持する（Ｓ５４）。画像出力装置１０１は、合成用の画像データを取得する（Ｓ５５）。画像出力装置１０１は、テンプレートを記憶部、メモリ等から呼び出し、合成用の画像とテンプレートとを合成して合成画像を作成し（Ｓ５６）、合成画像を印刷出力する（Ｓ５７）。【選択図】  図５
2005205614.tif 000002
【特許請求の範囲】
【請求項１】
画像データを入力する入力手段と、
前記画像データを印刷出力する出力手段と、
テンプレート作成用の画像データに合成領域を指定してテンプレートを作成するテンプレート作成手段と、
前記テンプレートの合成領域に合成用の画像データを合成して合成画像を作成する合成手段と、
を具備することを特徴とする画像出力装置。
【請求項２】
前記テンプレート作成手段は、所定の範囲を囲むことにより前記合成領域の指定を行い、前記所定の範囲が閉じた領域を形成した場合、前記合成領域として決定することを特徴とする請求項１に記載の画像出力装置。
【請求項３】
記録媒体から画像データを入力する入力手段と、
印刷部数を指定する手段と、
前記記録媒体が保持する全ての画像データについて、前記印刷部数の印刷出力を行う一括出力手段と、
を具備することを特徴とする画像出力装置。
【請求項４】
前記入力手段は、前記印刷部数が指定された後、前記画像データを入力することを特徴とする請求項３に記載の画像出力装置。
【請求項５】
コンピュータを請求項１から請求項４までのいずれかに記載の画像出力装置として機能させるプログラム。
【請求項６】
コンピュータを請求項１から請求項４までのいずれかに記載の画像出力装置として機能させるプログラムを記録した記録媒体。
【請求項７】
入力された画像データを印刷出力する画像出力装置が実行する画像合成方法であって、
テンプレート作成用の画像データに合成領域を指定してテンプレートを作成するテンプレート作成工程と、
前記テンプレートの合成領域に合成用の画像データを合成して合成画像を作成する合成工程と、
を具備することを特徴とする画像合成方法。
【請求項８】
記録媒体から入力された画像データを印刷出力する画像出力装置が実行する画像出力方法であって、
印刷部数を指定する工程と、
前記記録媒体が保持する全ての画像データについて、前記印刷部数の印刷出力を行う一括出力工程と、
を具備することを特徴とする画像出力方法。
【発明の詳細な説明】
【技術分野】
【０００１】
本発明は、デジタルカメラで撮影した画像、スキャナで読込んだ画像、持参した記録媒体に記録されている画像データ、装置に予め保存してある画像等を合成、編集してプリントできる画像出力装置等に関する。
【背景技術】
【０００２】
近年、画像出力装置（デジタルフォトプリント装置等）が街頭端末（ＫＩＯＳＫ端末）として店舗内や街頭に設置され、利用されている。この画像出力装置は、デジタルカメラ等で撮像した画像、記録媒体に記録されている画像データ等を読み込んで、画像編集、画像合成、プリント出力等を行う（例えば、［特許文献１］、［非特許文献１］参照。）。
【０００３】
画像出力装置は、駅前の証明写真撮影コーナー、ゲームセンター等のアミューズメント施設等に設置され、利用者は、自分のデジタルカメラで撮影した画像データを記録した記録媒体を持参して画像出力装置に読み取らせ、あるいは、その場で撮影を行い、必要に応じて画像編集処理等を行い、出力サイズ、出力枚数等を指定して高精細なカラープリントを出力し、そのまま持ち帰ることができる。
【０００４】
また、画像出力装置における画像の表示、画像の選択等に関しては、画像が保存された記録媒体がメディアリーダに差し込まれると、画像出力装置は複数のサムネイル画像等による画像一覧を表示するのが一般的であり、利用者は、この画像一覧から印刷出力する画像を選択する。
【０００５】
また、画像編集合成処理に関しては、識別パターンを有する識別パターンシートをテンプレート原稿上の所望の位置に貼り付けて合成領域を指示し、貼り付けられた識別パターンを含むテンプレート原稿をスキャナで読み取り、識別パターンを検出することにより合成領域を検出し、画像合成処理を行う画像処理方法が提案されている（例えば、［特許文献２］参照。）。
【０００６】
【特許文献１】特開２００２−４６３２４号公報
【特許文献２】特開２００１−８１４１号公報
【非特許文献１】大日本印刷株式会社、"デジカメプリントのすすめ"、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【発明の開示】
【発明が解決しようとする課題】
【０００７】
しかしながら、従来の画像出力装置は、画面上に表示される画像一覧の画像に対してのみしか画像の選択、プリント枚数の指定等の操作が行えず、利用者（ユーザ、オペレータ等）は、操作をする上で不快感、不自由感を禁じ得ないという問題点がある。
【０００８】
また、［特許文献２］が示す技術では、識別パターンを複雑な形に切り抜くことは困難であり、また、テンプレート内に識別パターンと同様のパターンが存在する場合、当該パターンについても合成領域と誤認識するおそれがあるという問題点がある。
また、一般に、合成用のフレームや背景は、予め設定されたものを利用することが多く、気に入ったデザインがない場合があるという問題点がある。
【０００９】
本発明は、以上の問題点に鑑みてなされたものであり、画像編集合成処理を正確かつ迅速に行うと共に、画像出力等に係る操作性を向上させることを可能とする画像出力装置等を提供することを目的とする。
【課題を解決するための手段】
【００１０】
前述した目的を達成するために第１の発明は、画像データを入力する入力手段と、前記画像データを印刷出力する出力手段と、テンプレート作成用の画像データに合成領域を指定してテンプレートを作成するテンプレート作成手段と、前記テンプレートの合成領域に合成用の画像データを合成して合成画像を作成する合成手段と、を具備することを特徴とする画像出力装置である。
【００１１】
第１の画像出力装置は、テンプレート作成用の画像データに合成領域を指定してテンプレートを作成し、テンプレートの合成領域に合成用の画像データを合成して合成画像を作成する。
また、画像出力装置は、所定の範囲を囲むことにより合成領域の指定を行い、当該所定の範囲が閉じた領域を形成した場合、合成領域として決定するようにしてもよい。
【００１２】
尚、テンプレートは、合成用の画像を合成するための背景画像、フレーム画像等であり、合成領域が指定されているものである。
また、画像出力装置は、作成したテンプレートを記憶部に保持し、後に合成処理を行う際に記憶部に保持したテンプレートを呼び出すこともできる。
【００１３】
第１の発明では、画像出力装置は、利用者がタッチペン等により囲んで指定した領域を合成領域としてテンプレートを作成するので、合成領域を複雑な形状とすることができ、合成領域を誤認識することもない。また、利用者は、テンプレート作成用の画像を自ら用意することができるので、所望のデザインをテンプレートとすることができる。
【００１４】
第２の発明は、記録媒体から画像データを入力する入力手段と、印刷部数を指定する手段と、前記記録媒体が保持する全ての画像データについて、前記印刷部数の印刷出力を行う一括出力手段と、を具備することを特徴とする画像出力装置である。
【００１５】
第２の発明の画像出力装置は、印刷部数を指定し、記録媒体が保持する全ての画像データについて一括して指定した印刷部数分の印刷出力を行う。
また、画像出力装置は、印刷部数が指定された後、画像データを入力するようにしてもよい。
【００１６】
第２の発明では、画像出力装置は、印刷部数の指定を記録媒体が保持する全ての画像データに反映することができ、この場合、全画像について印刷枚数を指定するために全ての画像を画面上に表示させる必要がないので、利用者の迅速な操作を実現することができる。従って、記録媒体内の画像を全て同じ枚数ずつプリントしたい場合、画像を選択してプリント枚数を指定する手順を経る必要がなく、利用者の操作負担を軽減することができる。
【００１７】
第３の発明は、コンピュータを第１の発明または第２の発明のいずれかの画像出力装置として機能させるプログラムである。
第４の発明は、コンピュータを第１の発明または第２の発明のいずれかの画像出力装置として機能させるプログラムを記録した記録媒体である。
上述のプログラムをＣＤ−ＲＯＭ等の記録媒体に保持させて流通させてもよいし、このプログラムを通信回線を介して送受することもできる。
【００１８】
第５の発明は、入力された画像データを印刷出力する画像出力装置が実行する画像合成方法であって、テンプレート作成用の画像データに合成領域を指定してテンプレートを作成するテンプレート作成工程と、前記テンプレートの合成領域に合成用の画像データを合成して合成画像を作成する合成工程と、を具備することを特徴とする画像合成方法である。
第５の発明は、第１の発明の画像出力装置が実行する画像合成方法に関する発明である。
【００１９】
第６の発明は、記録媒体から入力された画像データを印刷出力する画像出力装置が実行する画像出力方法であって、印刷部数を指定する工程と、前記記録媒体が保持する全ての画像データについて、前記印刷部数の印刷出力を行う一括出力工程と、を具備することを特徴とする画像出力方法である。
第６の発明は、第２の発明の画像出力装置が実行する画像出力方法に関する発明である。
【発明の効果】
【００２０】
本発明によれば、画像編集合成処理を正確かつ迅速に行うと共に、画像出力等に係る操作性を向上させることを可能とする画像出力装置等を提供することができる。
【発明を実施するための最良の形態】
【００２１】
以下、添付図面を参照しながら、本発明に係る画像出力装置等の好適な実施形態について詳細に説明する。なお、以下の説明及び添付図面において、略同一の機能構成を有する構成要素については、同一の符号を付することにより重複説明を省略することにする。
【００２２】
最初に、図１を参照しながら、本発明の実施の形態に係る画像出力装置１０１の構成について説明する。
図１は、画像出力装置１０１の構成を示すブロック図である。
【００２３】
画像出力装置１０１は、画像データ読込書込手段１１１、画像編集合成手段１１２、素材データベース１１３、プリント手段１１４、注文内容入力手段１１５、課金手段１１６、テンプレート作成手段１１７、テンプレートデータベース１１８等を備える。
【００２４】
画像データ読込書込手段１１１は、被写体１２１（利用者）をデジタルカメラ等の撮像装置により撮像したり、原稿１２２をスキャナ装置等の原稿読取装置により読み取ったり、予め画像データが記録された記録媒体１２３（メディア）から読み取ることにより、画像データを取得する。また、画像データ読込書込手段１１１は、画像出力装置１０１が作成した画像データを記録媒体１２３に記録することもできる。
記録媒体１２３は、例えば、スマートメディア、コンパクトフラッシュ（登録商標）カード（ＣＦカード）、フロッピー（登録商標）ディスク、ＰＣカード、光ディスク（ＣＤ−ＲＯＭ等）等である。
【００２５】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インタフェース手段と画像処理プログラムで構成される。加工や合成編集に扱う画像データとしては、素材データベース１１３に存在する素材画像データ、フレーム画像データ等を用いることもできる。
【００２６】
プリント手段１１４は、高解像度カラープリンタである。昇華型あるいはインクジェット型などの方式は問わない。プリント物１２４は、プリント出力された撮像による証明写真、デジタルカメラ画像等による写真、シールプリント、葉書等である。
【００２７】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定等がある。尚、利用者は、画像を出力する前に、１つ以上の画像データを指定して加工および合成編集することができる。
【００２８】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００２９】
テンプレート作成手段１１７は、画像編集合成処理等に用いる背景、フレーム等のテンプレートを作成する。テンプレート作成用の画像は、画像データ読込書込手段１１１から入力するようにしてもよいし、素材データベース１１３から入力するようにしてもよい。
テンプレートデータベース１１８は、テンプレート作成手段１１７が作成したテンプレートを保持する。テンプレートデータベース１１８に保持されたテンプレートは、画像編集合成処理等の際、必要に応じて呼び出すことができる。
【００３０】
次に、図２を参照しながら、画像出力装置１０１の外観構成について説明する。
図２は、画像出力装置１０１の外観斜視図である。
【００３１】
画像出力装置１０１（本体）の上段部正面には、タッチパネル付きモニタ等であるモニタ画面２０１が配置されている。モニタ画面２０１は、操作の案内や、操作の状況や、読み取った画像あるいは編集加工した画像等を表示する表示手段としての機能を発揮する。
【００３２】
モニタ画面２０１の画面の横には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置により被写体（利用者等）を撮像するためのレンズ窓２０４が設置される。
これらのメディア挿入口２０２、スキャナ面２０３、窓２０４は、画像データ読込書込手段１１１の一部を構成する。
【００３３】
メディア挿入口２０２は、各種メディア（スマートメディア、コンパクトフラッシュ（登録商標）カード（ＣＦカード）、フロッピー（登録商標）ディスク、ＰＣカード、光ディスク（ＣＤ−ＲＯＭ等）等）の受付部であり、フロッピ（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。また、画像出力装置１０１の本体内には上記各記録メディアの種類に対応して、それぞれの読取装置（メディアリーダ）の本体（図示しない。）が設置されている。
【００３４】
また、各挿入口には、開閉カバー（シャッタ）を備えても良い。この場合、開閉扉の開閉を制御することにより、処理中に記録メディアを取り出せないようにしたり、課金処理、手数料の徴収が完了するまで記録メディアを取り出せないようにすることができる。
【００３５】
画像出力装置１０１の下段部には、プリント物取出口２０５、スピーカ２０６等が設置され、この他、料金投入口（硬貨投入口、紙幣挿入口）、返却レバー、返却口、レシート取出口、メインテナンスキー、ドア開閉キー等が配置される。
【００３６】
プリント物取出口２０５は、プリント手段１１４の一部を構成する。利用者は、タッチパネルボタンに触れるなどしてプリント実行を指示した後、プリント物取出口２０５から放出されるプリント物を受け取る。
スピーカ２０６は、操作中あるいは待機中に、警告音、確認音、操作案内メッセージ、音声、ＢＧＭ、効果音等を再生する。
【００３７】
また、画像出力装置１０１の本体内には、図示しないが、各構成部分を制御するための制御部を含むパーソナルコンピュータや、電圧の変換を行う電源ボックス、停電時に制御部のＣＰＵやハードディスク等の破損を防ぐ無停電電源装置等が設置される。
【００３８】
次に、図３を参照しながら、画像出力装置１０１のハードウェア構成について説明する。
図３は、画像出力装置１０１のハードウェア構成図である。
【００３９】
画像出力装置１０１は、制御部３０１、記憶部３０２、入出力部３０３、デジタルカメラ３０４、スキャナ３０５、各種メディア読取書込部３０６（１〜ｎ）、モニタ３０７（タッチパネル付き）、コインメック３０８、ビルバリ３０９、レシートジャーナル処理部３１０、プリンタ３１１等が、システムバス３１２を介して接続される。
【００４０】
制御部３０１は、ＣＰＵ、ＲＯＭ、ＲＡＭ等で構成され、大容量記憶媒体としてのハードディスク等である記憶部３０２に格納されたプログラムに従って、システムバス３１２を介して接続された各装置を駆動制御する。
【００４１】
記憶部３０２には、各構成部分を駆動制御するプログラム、例えば各記録メディアに対応する読取書込プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０７に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３、合成領域が形成されたテンプレートを保持するテンプレートデータベース１１８、各種設定データ等が格納されている。
【００４２】
尚、これらの各プログラムコードは、制御部３０１により必要に応じて読み出されてＲＡＭに移され、ＣＰＵに読み出されて各種の手段として実行される。
また、制御部３０１のメモリあるいは記憶部３０２は、処理に必要なデータ、画像データ等の情報を一時的に保持することもできる。
【００４３】
入出力部３０３（ＣＤ−ＲＯＭドライブ装置、キーボード、マウス等）は、制御部３０１のＲＯＭや記憶部３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００４４】
デジタルカメラ３０４、スキャナ３０５、各種メディア読取書込部３０６（１〜ｎ）は、画像データの取得、入力を行う。これらは、画像データ読込書込手段１１１に相当する。
【００４５】
モニタ３０７に表示された操作案内に従って、同モニタ３０７に表示されたタッチパネルボタンを選択し触れることにより、プリントモードの選択およびオリジナル画像データの読み込みから、加工、合成編集、プリント物の出力までの一連の操作を行うことができる。モニタ３０７は、上記表示手段に相当する。
【００４６】
コインメック３０８、ビルバリ３０９、レシートジャーナル処理部３１０は、課金手段１１６に相当し、硬貨投入、紙幣挿入を受け付けたり、レシートの発行を行う。
プリンタ３１１は、プリント手段１１４に相当し、画像の印刷出力処理を行う。
システムバス３１２は、各部、各装置間の制御信号、データ信号等の授受を媒介する経路である。
【００４７】
次に、図４を参照しながら、画像出力装置１０１の動作について説明する。
図４は、画像出力装置１０１の動作を示すフローチャートである。
【００４８】
画像出力装置１０１（制御部３０１）は、サービスの内容、手順、案内等を示すメニュー画面を表示し、利用者に選択させる（ステップ４０１）。
画像出力装置１０１は、画像データを取得し、モニタ上へ表示する（ステップ４０２）。尚、利用者は、画像データの入力に際し、記録メディアからの読み取り、スキャナからの読み取り、撮像装置（デジタルカメラ等）による被写体の撮像等の方法を選択することができる。
【００４９】
画像出力装置１０１は、利用者の指示に基づいて、画像データの加工、編集、合成等を行う（ステップ４０３）。画像の加工、編集、合成は、例えば、入力画像データ同士、フレーム画像、既存画像等の合成、塗色、文字入力、移動、拡大・縮小、はがきデータ作成等である。
【００５０】
画像出力装置１０１は、利用者の注文内容（出力形態（写真プリント、シールプリント、インデックスプリント、はがきプリント等）、プリント枚数等）に応じて、課金処理、レシート発行処理を行う（ステップ４０４）。
【００５１】
画像出力装置１０１は、色修正、リサイズ、トリミング、レイアウト、文字・ロゴ合成等の画像処理を行い（ステップ４０５）、画像処理した画像データをメモリ、ハードディスク装置等に保持し、出力可能状態となったプリンタ装置に当該画像データを転送し、印刷出力処理を行う（ステップ４０６）。
画像出力装置１０１の稼働を継続する場合（ステップ４０７のＮｏ）、画像出力装置１０１は、ステップ４０１〜ステップ４０７までの処理を繰り返す。
【００５２】
次に、図５及び図６を参照しながら、テンプレート作成処理及び画像合成処理における、画像出力装置１０１の動作について説明する。
【００５３】
図５は、テンプレート作成処理及び画像合成処理における、画像出力装置１０１の処理の流れを示す図である。
図６は、テンプレート作成処理及び画像合成処理における、画像出力装置１０１の動作を示すフローチャートである。
【００５４】
画像出力装置１０１（制御部３０１）は、テンプレート作成用の画像データを取得する（ステップ６０１、Ｓ５１）。
テンプレート作成用の画像データは、利用者が用意するようにしてもよいし、記憶部３０２に保持する素材データ等を利用するようにしてもよい。利用者は、画像出力装置１０１に対して、記録媒体を介してテンプレート作成用の画像データを入力したり、スキャナ等を介してテンプレート作成用の画像を読み込ませることができる。
【００５５】
画像出力装置１０１は、テンプレート作成用の画像をモニタ上に表示し、利用者は、タッチペン等により合成領域を囲む（ステップ６０２、Ｓ５２）。この際、背景、フレーム等の作成モードとなり、規定の色やパターンで合成部分を囲むようになっている。
画像出力装置１０１は、利用者が描いた合成領域が閉じた領域を形成した場合（ステップ６０３のＹｅｓ）、当該閉じた領域を合成領域として決定し、テンプレートを作成する（ステップ６０４、Ｓ５３）。例えば、プログラムが囲み線の始点と終点が一致した段階で自動的に囲み線の内部を塗り潰し、この領域を合成領域と決定する。
【００５６】
画像出力装置１０１は、作成したテンプレートを記憶部３０２、メモリ等に保持する（ステップ６０５、Ｓ５４）。記憶部３０２に保持したテンプレートは、後に呼び出して利用することができる。また、判別手段を設けることにより、システム利用者に公開することもできる。
尚、テンプレート作成処理後、続けて画像合成処理を行う場合、必ずしも作成したテンプレートを記憶部３０２に保持する必要はない。
【００５７】
画像出力装置１０１は、合成用の画像データを取得する（ステップ６０６、Ｓ５５）。
合成用の画像データは、利用者が用意するようにしてもよいし、記憶部３０２に保持する素材データ等を利用するようにしてもよい。利用者は、画像出力装置１０１に対して、記録媒体を介して合成用の画像データを入力したり、スキャナ等を介して合成用の画像（写真等）を読み込ませることができる。また、画像出力装置１０１が備えるデジタルカメラ等により、その場で撮像した画像（写真等）を合成用の画像データとして読み込ませることもできる。
【００５８】
画像出力装置１０１は、テンプレートを記憶部３０２、メモリ等から呼び出し（ステップ６０７）、合成用の画像とテンプレートとを合成して合成画像を作成し（ステップ６０８、Ｓ５６）、合成画像を印刷出力する（ステップ６０９、Ｓ５７）。
尚、画像出力装置１０１は、テンプレートの合成領域に合成用の画像を合成する。また、画像出力装置１０１は、必要に応じて、テンプレート、合成用の画像、合成画像等、それぞれに対して、拡大、縮小、移動、編集、切取、文字入力等の処理を行うことができる。
【００５９】
以上の過程を経て、画像出力装置１０１は、テンプレート作成用の画像に合成領域を形成してテンプレートを作成し、テンプレートの合成領域に合成用の画像を合成する。合成領域の形成は、利用者がタッチペン等により囲むことにより行うことができる。
【００６０】
このように、画像出力装置は、利用者がタッチペン等により囲んで指定した領域を合成領域としてテンプレートを作成するので、合成領域を複雑な形状とすることができ、合成領域を誤認識することもない。また、利用者は、テンプレート作成用の画像を自ら用意することができるので、所望のデザインをテンプレートとすることができる。
【００６１】
次に、図７を参照しながら、一括印刷処理における、画像出力装置１０１の動作について説明する。
利用者は、記録媒体を画像出力装置に装着し、印刷枚数（印刷部数）を指定すると、画像出力装置は、記録媒体の種類を検知して自動的に全ての画像を読み取り、全ての画像について指定した枚数（部数）ずつプリントする。
【００６２】
例えば、利用者が画像出力装置の正面に所定の距離まで近づくと、画像出力装置は、赤外線センサ等の検知手段により利用者を検知し、自動的に省エネモードから動作モードに切り替え、同時に、記録媒体の読み込みモードになる。利用者が記録媒体を挿入口に入れると、画像出力装置は、自動的に記録媒体内の画像ファイルを全て読み込み、プリント枚数を入力する画面モードに切り替える。利用者がプリント枚数を入力し、所定の金額の投入が確認されたところで、画像出力装置は、全ての画像のプリントを開始する。
【００６３】
図７は、一括印刷処理における、画像出力装置１０１の処理の流れを示す図である。
【００６４】
画像出力装置１０１は、記録媒体７０２が保持する全画像データ７０３の中から画面表示を行う表示画像データ７０４を抽出し、画面７０１に表示する（Ｓ７１）。
【００６５】
利用者は、一覧画面７０１に表示される個々の画像毎に、プリント枚数７０５を指定して印刷出力を行うことができる。
また、利用者は、一覧画面７０１の一括ボタン７０８を操作して、全画像データ７０３に対してプリント枚数７０６（印刷部数）を指定して印刷出力を行うことができる。この場合、画像出力装置１０１は、表示画像データ７０４のみならず全画像データ７０３に対して、プリント枚数７０６の指定を反映する。
【００６６】
また、利用者は、一覧画面７０１の一括ボタン７０９を操作して、表示画像データ７０４に対してプリント枚数７０７（印刷部数）を指定して印刷出力を行うことができる。この場合、画像出力装置１０１は、表示画像データ７０４のみに対して、プリント枚数７０７の指定を反映する。
【００６７】
このように、画像出力装置１０１は、一括ボタン７０８のプリント枚数７０６（印刷部数）による印刷枚数の指定を全画像データ７０３に反映することができ、この場合、全画像について印刷枚数を指定するために全ての画像を画面上に表示させる必要がないので、利用者の迅速な操作を実現することができる。
従って、記録媒体内の画像を全て同じ枚数ずつプリントしたい場合、画像を選択してプリント枚数を指定する手順を経る必要がなく、利用者の操作負担を軽減することができる。
【００６８】
また、画像出力装置１０１は、一括ボタン７０９のプリント枚数７０７（印刷部数）による印刷枚数の指定を表示画像データ７０４のみに反映することができ、この場合、印刷枚数の変更を画面上で確認することができるので、利用者の誤認を防止することができる。
【００６９】
以上説明したように、本発明の実施の形態によれば、画像出力装置は、利用者がタッチペン等により囲んで指定した領域を合成領域としてテンプレートを作成するので、テンプレート作成に係る操作負担を軽減することができる。画像出力装置１０１は、記録媒体内の全画像について印刷枚数を一括指定することができるので、利用者の操作負担を軽減することができる。
【００７０】
また、図４〜図７等に示す処理を行うプログラムをＣＤ−ＲＯＭ等の記録媒体に保持させて流通させてもよいし、このプログラムを通信回線を介して送受することもできる。
【００７１】
以上、添付図面を参照しながら、本発明にかかる画像出力装置等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７２】
【図１】画像出力装置１０１の構成を示すブロック図
【図２】画像出力装置１０１の外観斜視図
【図３】画像出力装置１０１のハードウェア構成図
【図４】画像出力装置１０１の動作を示すフローチャート
【図５】テンプレート作成処理及び画像合成処理における、画像出力装置１０１の処理の流れを示す図
【図６】テンプレート作成処理及び画像合成処理における、画像出力装置１０１の動作を示すフローチャート
【図７】一括印刷処理における、画像出力装置１０１の処理の流れを示す図
【符号の説明】
【００７３】
１０１………画像出力装置
１１１………画像データ読込書込手段
１１２………画像編集合成手段
１１３………素材データベース
１１４………プリント手段
１１５………注文内容入力手段
１１６………課金手段
１１７………テンプレート作成手段
１１８………テンプレートデータベース
２０１………モニタ画面
２０２………メディア挿入口
２０３………スキャナ面
３０１………制御部
３０２………記憶部
３０４………デジタルカメラ
３０５………スキャナ
３０６………各種メディア読取書込部（１〜ｎ）
３０７………モニタ
【図１】
2005205614.tif 000003
【図２】
2005205614.tif 000004
【図３】
2005205614.tif 000005
【図４】
2005205614.tif 000006
【図５】
2005205614.tif 000007
【図６】
2005205614.tif 000008
【図７】
2005205614.tif 000009